(57)【要約】【課題】  梱包時におけるスタンドの高さ方向の寸法を小さくし、梱包サイズを小さくすることのできるスタンドを提供する。【解決手段】  本発明に係るスタンドは、台座部１０と、台座部１０に互いに間隔を空けて軸支され、台座部１０から立ち上がり、表示画面を有する表示装置本体２に取り付け可能な位置と、取り付け可能な位置から台座部１０側に折り畳まれた位置との間を回動可能な第１の首部５及び第２の首部６と、を備えたものである。【選択図】  図２
2019220912.tif 000002
【特許請求の範囲】
【請求項１】
台座部と、
前記台座部に互いに間隔を空けて軸支され、前記台座部から立ち上がり、表示画面を有する表示装置本体に取り付け可能な位置と、前記取り付け可能な位置から前記台座部側に折り畳まれた位置との間を回動可能な第１の首部及び第２の首部と、
を備えたスタンド。
【請求項２】
前記第１の首部及び前記第２の首部は、前記取り付け可能な位置で前記台座部に接する底面部を備え、
前記底面部は、前記第１の首部及び前記第２の首部を前記取り付け可能な位置で前記台座部にねじで固定可能なねじ穴を備えていることを特徴とする請求項１に記載のスタンド。
【請求項３】
前記台座部は、第１のフック部品と第２のフック部品とを備え、
前記第１の首部は、前記取り付け可能な位置で前記第１のフック部品が引っ掛かる第１の掛り部を備え、
前記第２の首部は、前記取り付け可能な位置で前記第２のフック部品が引っ掛かる第２の掛り部を備えていることを特徴とする請求項１又は２に記載のスタンド。
【請求項４】
前記第１の首部及び前記第２の首部は、互いに内側に折り畳まれることを特徴とする請求項１から３のいずれか１項に記載のスタンド。
【請求項５】
前記第１の首部及び前記第２の首部は、互いに外側に折り畳まれることを特徴とする請求項１から３のいずれか１項に記載のスタンド。
【請求項６】
前記第１の首部及び前記第２の首部は、共に前面側又は背面側に折り畳まれ、
前記台座部は、前記表示装置本体が有するスタンド保持部の開口部に差し込み可能な突出部を備えていることを特徴とする請求項１から３のいずれか１項に記載のスタンド。
【請求項７】
前記第１の首部及び前記第２の首部は、前後方向のそれぞれ異なる向きに折り畳まれることを特徴とする請求項１から３のいずれか１項に記載のスタンド。
【請求項８】
前記表示装置本体と、前記表示装置本体に取り付けられる請求項１から７のいずれか１項に記載のスタンドと、を備えたことを特徴とする表示装置。
【発明の詳細な説明】
【技術分野】
【０００１】
本発明は、テレビジョン受像機などの表示装置及び表示装置用スタンドに関する。
【背景技術】
【０００２】
従来のテレビジョン受像機などの表示装置には、映像を表示する表示画面を有する表示装置本体と、表示装置本体を着脱可能に支持するスタンドとを備えたものがある。スタンドは、設置面に置かれる偏平形状の台座部と、台座部から立ち上がった首部と、首部に設けられ表示装置本体を取り付け可能な取付部とが一体化されたものである。この表示装置の梱包時には、表示装置本体からスタンドを取り外した状態で梱包するようにしている（例えば、特許文献１参照）。
【先行技術文献】
【特許文献】
【０００３】
【特許文献１】特開２０１３−３４０７６号公報（段落０００２〜０００５、図１１〜１２参照）
【発明の概要】
【発明が解決しようとする課題】
【０００４】
しかしながら、上記の表示装置のスタンドは、首部によりスタンドの高さ方向の寸法が大きくなっているため、梱包サイズが大きくなってしまうという問題があった。
【０００５】
本発明は、上記した問題点を解決するためになされたものであり、梱包時におけるスタンドの高さ方向の寸法を小さくし、梱包サイズを小さくすることのできるスタンド及び表示装置を提供することを目的とするものである。
【課題を解決するための手段】
【０００６】
本発明に係るスタンドは、台座部と、台座部に互いに間隔を空けて軸支され、台座部から立ち上がり、表示画面を有する表示装置本体に取り付け可能な位置と、取り付け可能な位置から台座部側に折り畳まれた位置との間を回動可能な第１の首部及び第２の首部と、を備えたものである。
【０００７】
また、本発明に係る表示装置は、表示装置本体と、表示装置本体に取り付けられる上記スタンドと、を備えたものである。
【発明の効果】
【０００８】
本発明のスタンド及び表示装置によれば、第１の首部及び第２の首部が折り畳み可能であることにより、梱包時におけるスタンドの高さ方向の寸法を小さくし、梱包サイズを小さくすることができる。
【図面の簡単な説明】
【０００９】
【図１】本発明の実施の形態１に係るスタンドを表示装置本体に取り付ける方法を示す背面斜視図である。
【図２】本発明の実施の形態１に係るスタンドの組立方法を示す背面斜視図である。
【図３】本発明の実施の形態１に係る第１の首部の直立状態での背面斜視図である。
【図４】本発明の実施の形態１に係るスタンドの梱包時の状態を示す背面斜視図である。
【図５】本発明の実施の形態１に係る第１の首部及び第２の首部を台座板金に直立状態で固定する方法を示す背面斜視図である。
【図６】本発明の実施の形態１に係る表示装置の梱包形態を示す平面図である。
【図７】本発明の実施の形態２に係るスタンドの梱包時の状態を示す背面斜視図である。
【図８】本発明の実施の形態３に係るスタンドの梱包時の状態を示す背面斜視図である。
【図９】本発明の実施の形態３に係る第１の首部の直立状態での背面斜視図である。
【図１０】本発明の実施の形態３に係るスタンドにスタンド保持部を取り付ける方法を示す前面斜視図である。
【図１１】本発明の実施の形態１に係る第１の首部及び第２の首部を台座板金に直立状態で固定する方法の変形例を示す背面斜視図である。
【図１２】本発明の実施の形態１に係る変形例の第１の首部の斜視図である。
【図１３】本発明の実施の形態１に係る変形例の第２の首部を台座板金に直立状態で固定する方法を示す背面断面図である。
【発明を実施するための形態】
【００１０】
実施の形態１．
本発明の実施の形態１の表示装置のスタンドの構成を、図１から図３を用いて説明する。図１は実施の形態１に係るスタンドを表示装置本体に取り付ける方法を示す背面斜視図、図２は実施の形態１に係るスタンドの組立方法を示す背面斜視図、図３は実施の形態１に係る第１の首部の直立状態での背面斜視図である。
【００１１】
図１に示すように、本発明の実施の形態１のスタンド１は、映像を表示する表示画面（図示せず）を有する表示装置本体２に取り付けられることによって、表示装置１００を構成する。詳細な取り付け方法については後述する。なお、説明の便宜上、図１において、紙面垂直方向を前後方向、紙面横方向を左右方向、紙面縦方向を上下方向と定義する。また、表示画面が向く側、すなわち紙面奥側をスタンド１及び表示装置本体２の前面側と定義し、前面側の反対側をスタンド１及び表示装置本体２の背面側と定義する。
【００１２】
図２に示すように、スタンド１は、設置面に置かれるスタンドベース３と、スタンドベース３に固定される台座板金４と、台座板金４に回動可能に取り付けられ、互いに間隔を空けて配置される第１の首部５及び第２の首部６とを有する。なお、スタンドベース３に台座板金４を取り付けた物を台座部１０と呼称する。
【００１３】
スタンドベース３は、スタンドベース本体３ａと、スタンドベース本体３ａの中央部に設けられ、台座板金４が取り付けられる取付部３ｂとを有する。取付部３ｂには、ねじ穴３１が設けられている。なお、スタンドベース３は、例えば、強度を担保するための金属部品、又は意匠カバーなどの複数部品で構成されていても良い。
【００１４】
台座板金４は、台座板金本体４ａと、台座板金本体４ａの前面側の端部を折り曲げて形成された切り起こし部４ｂとを有する。切り起こし部４ｂには、左右方向の両端部に、上方に突出した突出部４ｃ及び４ｄがそれぞれ形成されている。また、台座板金本体４ａの中央部、台座板金本体４ａの左右方向の両端部、及び突出部４ｃ、４ｄには、それぞれねじ穴４１、４２、４３、４４が設けられている。
【００１５】
図３は、第１の首部５の直立状態での背面斜視図である。図３に示すように、第１の首部５は、第１の首部本体５ａと、第１の首部本体５ａの下部からスタンド１の中央方向に延びた底面部５ｂと、底面部５ｂの前面側の端部を折り曲げて形成された切り起こし部５ｃとを有する。第１の首部本体５ａ、底面部５ｂ及び切り起こし部５ｃには、それぞれねじ穴５１、５２、５３が設けられている。なお、第２の首部６は、第１の首部５と左右対称の構造をしていること以外は同様の構造であるため、説明を省略する。
【００１６】
次に、図２を用いて、スタンド１の組み立て方法を説明する。まず、ねじ９２を台座板金４のねじ穴４１に通し、スタンドベース３のねじ穴３１に締め付けることで、台座板金４をスタンドベース３に固定する。次に、段付きねじ９３を第１の首部５を直立させた状態でねじ穴５３に通し、台座板金４のねじ穴４３に締め付けることで、第１の首部５を台座板金４の突出部４ｃに回動可能に取り付ける。段付きねじ９３でねじ留めする際、段付きねじ９３の頭部と第１の首部５の切り起こし部５ｃとの間には、平座金８１及びスラストワッシャ８２、８３を、第１の首部５の切り起こし部５ｃと台座板金４の突出部４ｃとの間には平座金８４を挟む。なお、第２の首部６も、第１の首部５と同様の方法で、台座板金４の突出部４ｄに回動可能に取り付ける。
【００１７】
次に、図４及び図５を用いて、第１の首部５及び第２の首部６の動作を説明する。図４は実施の形態１に係るスタンドの梱包時の状態を示す背面斜視図、図５は実施の形態１に係る第１の首部及び第２の首部を台座板金に直立状態で固定する方法を示す背面斜視図である。
【００１８】
スタンド１の梱包時には、図４に示すように、第１の首部５はスタンド１の内側に折り畳まれ、水平状態になっている。第１の首部５が水平状態に折り畳まれている時、第１の首部５の切り起こし部５ｃの内側側面５４が台座板金４と接している。この状態を０°と表現する。
【００１９】
スタンド１を表示装置本体２に取り付ける時には、水平状態に折り畳まれている第１の首部５をスタンド１の外側に回動させ、図５に示すように、直立状態にする。第１の首部５が直立状態になった時、第１の首部５の底面部５ｂの底面５５が台座板金４と接する。この状態を９０°と表現する。
【００２０】
第１の首部５は、切り起こし部５ｃの内側側面５４が台座板金４に接する位置から、底面部５ｂの底面５５が台座板金４に接する位置までしか回動できないので、第１の首部５の可動域は０°〜９０°に限られる。
【００２１】
なお、第２の首部６は第１の首部５と左右対称の構造をしており、第２の首部６の回動方向は第１の首部５の回動方向と逆方向である。第２の首部６が内側に折り畳まれて水平になった状態を０°、直立した状態を９０°と表現すると、第２の首部６の可動域は、第１の首部５と同様に、０°〜９０°に限られる。
【００２２】
次に、図１及び図５を用いて、ユーザーがスタンド１を表示装置本体２に取り付ける方法を説明する。
【００２３】
ユーザーはまず、スタンド１の内側に折り畳まれて梱包されている第１の首部５及び第２の首部６を、図５に示すように９０°の状態に直立させる。その後、ねじ９４を第１の首部５のねじ穴５２及び第２の首部６のねじ穴６２に通し、台座板金４のねじ穴４２に締め付けることにより、第１の首部５及び第２の首部６を台座板金４に直立状態で固定する。
【００２４】
続いて、ユーザーは図１に示すように、第１の首部５及び第２の首部６を表示装置本体２の下部に設けられた開口部（図示せず）に下から挿入する。そして、ねじ９１を第１の首部５のねじ穴５１及び第２の首部６のねじ穴６１に通し、開口部内の前面側に設けられたねじ穴２１に締め付けることで、スタンド１を表示装置本体２に取り付ける。
【００２５】
次に、本発明の実施の形態１における表示装置１００の梱包形態を、図６を用いて説明する。図６は、実施の形態１に係る表示装置の梱包形態を示す平面図である。図６において、梱包箱７４の幅方向をＸ軸方向（紙面横方向）、高さ方向をＹ軸方向（紙面垂直方向）、奥行き方向をＺ軸方向（紙面縦方向）と定義する。
【００２６】
表示装置本体２は、表示装置本体２の左右方向をＸ軸方向に、表示装置本体２の上下方向をＹ軸方向に向けた状態で梱包箱７４に梱包される。また、スタンド１は、第１の首部５及び第２の首部６が０°の状態に折り畳まれた状態で、第１の首部５及び第２の首部６に保護クッション７３が付けられる。そして、スタンド１の左右方向がＹ軸方向に、スタンド１の上下方向がＺ軸方向になるようにして、スタンド１が表示装置本体２とＸ軸方向に並びあう状態で梱包箱７４に梱包される。なお、図６では、本発明の説明に関係のない部分、例えば表示装置本体２の緩衝材などは省略している。
【００２７】
実施の形態１のスタンドによれば、第１の首部５及び第２の首部６を折り畳み可能にしたことにより、スタンド１の高さ方向の寸法を小さくすることができ、表示装置１００の梱包サイズを小さくすることができる。また、スタンド１の生産場所と表示装置本体２の生産場所とが異なり、スタンド１を単体で表示装置本体２の生産場所に輸送する必要がある場合には、表示装置１００の完成品の梱包サイズだけでなく、スタンド１単体の梱包サイズを小さくすることができる。
【００２８】
また、スタンド１の梱包サイズを小さくする方法として、第１の首部５及び第２の首部６を台座部１０と分割するのではなく、台座部１０と一体化させているので、台座部１０と第１の首部５及び第２の首部６とを組み立てる手間をユーザーにかけさせることなく、梱包サイズを小さくすることができる。また、第１の首部５及び第２の首部６が台座部１０と一体化されているので、出荷前に、第１の首部５及び第２の首部６と台座部１０とが組み立てられた状態での検査を行うことができる。
【００２９】
また、表示装置本体２を支持する第１の首部５及び第２の首部６は、互いに間隔を空けて台座部１０に取り付けられている。そのため、例えば、第１の首部５と第２の首部６との間にブルーレイディスクドライブなどの記憶装置を設け、記憶装置内蔵の表示装置１００を設計することも可能であり、設計の自由度を増やすことができる。また、第１の首部５及び第２の首部６の二つの首部で構成されていることにより、首部が一つで構成されているものと比べ、首部の配置、大きさ又は形などのデザインの自由度も増やすことができる。さらに、首部が一つで構成されているものと比べ、コンパクトに折り畳むことが可能で、首部の小型化が可能である。
【００３０】
また、第１の首部５及び第２の首部６を直立させた状態で台座板金４にねじ９４で固定しているので、第１の首部５及び第２の首部６の回動を防止することができ、スタンド１を表示装置本体２に取り付ける際の作業性を向上させることができる。
【００３１】
また、第１の首部５の回動方向と第２の首部６の回動方向とが逆向きに構成されているので、第１の首部５及び第２の首部６を直立状態で台座板金４にねじで固定していない状態で表示装置本体２にスタンド１を取り付けた場合であっても、第１の首部５及び第２の首部６が回動することがないため、表示装置本体２が傾いたり転倒したりすることを防止することができる。
【００３２】
実施の形態２．
本発明の実施の形態２の表示装置のスタンドについて、図７を用いて説明する。図７は、実施の形態２に係るスタンドの梱包時の状態を示す背面斜視図である。実施の形態２のスタンド１は、第１の首部５及び第２の首部６の台座板金４に取り付けられる位置が実施の形態１とは左右反対になる。すなわち、実施の形態２のスタンド１では、実施の形態１のスタンド１における第２の首部６の位置に第１の首部５が取り付けられ、実施の形態１のスタンド１における第１の首部５の位置に第２の首部６が取り付けられる。それにより、実施の形態１のスタンド１では、第１の首部５と第２の首部６とが共にスタンド１の内側に回動可能であるのに対し、実施の形態２のスタンド１では、第１の首部５と第２の首部６とが共にスタンド１の外側に回動可能となる。第１の首部５及び第２の首部６の配置以外の構成は、実施の形態１と同様であるため、説明を省略する。
【００３３】
スタンド１の梱包時には、図７に示すように、第１の首部５は水平状態になるようにスタンド１の外側に折り畳まれている。第１の首部５が水平状態に折り畳まれている時、第１の首部５の切り起こし部５ｃの内側側面５４が台座板金４と接している。この状態を１８０°と表現する。
【００３４】
スタンド１を表示装置本体２に取り付ける時には、折り畳まれている第１の首部５をスタンド１の内側に回動させ、直立状態にする。第１の首部５が直立状態になった時、第１の首部５の底面部５ｂの底面５５が台座板金４と接する。この状態を９０°と表現する。
【００３５】
第１の首部５は、切り起こし部５ｃの内側側面５４が台座板金４に接する位置から、底面部５ｂの底面５５が台座板金４に接する位置までしか回動できないので、第１の首部５の可動域は９０°〜１８０°に限られる。
【００３６】
なお、第２の首部６は第１の首部５と左右対称の構造をしており、第２の首部６の回動方向は第１の首部５の回動方向と逆方向である。第２の首部６がスタンド１の外側に折り畳まれて水平になった状態を１８０°、直立した状態を９０°と表現すると、第２の首部６の可動域は、第１の首部５と同様に、９０°〜１８０°に限られる。
【００３７】
実施の形態２のスタンドによれば、第１の首部５及び第２の首部６をスタンド１の外側に折り畳み可能に構成したことにより、第１の首部５及び第２の首部６の長さが長く、内側に折り畳むと第１の首部５と第２の首部６とが互いに干渉してしまう場合であっても、第１の首部５と第２の首部６との干渉を防止することできる。
【００３８】
実施の形態３．
本発明の実施の形態３の表示装置のスタンドについて、図８から図１０を用いて説明する。図８は実施の形態３に係るスタンドの梱包時の状態を示す背面斜視図、図９は実施の形態３に係る第１の首部の直立状態での背面斜視図、図１０は実施の形態３に係るスタンドにスタンド保持部を取り付ける方法を示す前面斜視図である。
【００３９】
実施の形態３の表示装置のスタンドは、台座板金７、第１の首部８及び第２の首部９の構成が実施の形態１及び２とは異なる。実施の形態１のスタンドでは、第１の首部５及び第２の首部６がスタンド１の内側に回動可能であり、実施の形態２のスタンドでは、第１の首部５及び第２の首部６がスタンド１の左右方向の外側に回動可能であるのに対し、実施の形態３のスタンドでは、第１の首部８及び第２の首部９が共にスタンド１の背面側に回動可能である。台座板金７、第１の首部８及び第２の首部９の構成以外は、実施の形態１と同様であるため、説明を省略する。
【００４０】
図８に示すように、台座板金７は、台座板金本体７ａと、台座板金本体７ａの前面側の端部を折り曲げて形成された切り起こし部７ｂと、台座板金本体７ａの左右方向の両端部を折り曲げて形成された切り起こし部７ｃとを有する。切り起こし部７ｂには、切り起こし部７ｂからさらに高く延びた突出部７ｄが設けられている。また、台座板金本体７ａの中央部にはスタンドベース３に台座板金本体７ａをねじ留めするためのねじ穴（図示せず）が、台座板金本体７ａの左右方向の両端部にはねじ穴７２が、台座板金７の切り起こし部７ｃには、第１の首部８及び第２の首部９を取り付けるためのねじ穴（図示せず）が設けられている。
【００４１】
図９は、第１の首部８の直立状態での背面斜視図である。図９に示すように、第１の首部８は、第１の首部本体８ａと、第１の首部本体８ａの下部からスタンド１の中央方向に延びた底面部８ｂと、第１の首部本体８ａの下部からスタンド１の背面側に突出した突出部８ｃとを有する。第１の首部本体８ａ、底面部８ｂ及び突出部８ｃには、それぞれねじ穴８１、８２、８３が設けられている。なお、第２の首部９は、第１の首部８と左右対称の構造をしていること以外は同様の構造であるため、説明を省略する。
【００４２】
図１０に示すように、表示装置本体２はスタンド保持部２２を備えている。スタンド保持部２２は、スタンド保持部本体２２ａと、スタンド保持部本体２２ａの底面側の端部を折り曲げて形成された切り起こし部２２ｂとを有する。スタンド保持部本体２２ａには、ねじ穴２３が設けられている。また、切り起こし部２２ｂには、台座板金７の突出部７ｄを差し込み可能な開口部２２ｃが形成されている。
【００４３】
次に、図８及び図１０を用いて、第１の首部８及び第２の首部９の動作を説明する。スタンド１の梱包時には、図８に示すように、第１の首部８はスタンド１の背面側に折り畳まれ、水平状態になっている。第１の首部８が水平状態に折り畳まれている時、第１の首部８の突出部８ｃの内側側面８４が台座板金７と接している。この状態を０°と表現する。
【００４４】
スタンド１を表示装置本体２に取り付ける時には、水平状態に折り畳まれている第１の首部８をスタンド１の前面側に回動させ、図１０に示すように、直立状態にする。第１の首部８が直立状態になった時、第１の首部８の底面部８ｂの底面８５が台座板金７と接する。この状態を９０°と表現する。
【００４５】
第１の首部８は、突出部８ｃの内側側面８４が台座板金７に接する位置から、底面部８ｂの底面８５が台座板金７に接する位置までしか回動できないので、第１の首部８の可動域は０°〜９０°に限られる。
【００４６】
なお、第２の首部９は第１の首部８と左右対称の構造をしており、第２の首部９の回動方向は第１の首部８の回動方向と同じ方向である。第２の首部９が背面側に折り畳まれて水平になった状態を０°、直立した状態を９０°と表現すると、第２の首部９の可動域は、第１の首部８と同様に、０°〜９０°に限られる。
【００４７】
次に、図１０を用いて、ユーザーがスタンド１を表示装置本体２に取り付ける方法を説明する。ユーザーはまず、折り畳まれて梱包されている第１の首部８及び第２の首部９を、図１０に示すように９０°の状態に直立させる。その後、ねじを第１の首部８のねじ穴８２及び第２の首部９のねじ穴９２を通して、台座板金７のねじ穴７２にねじ留めすることにより、第１の首部８及び第２の首部９を台座板金７に直立状態で固定する。続いて、表示装置本体２が備えるスタンド保持部２２の開口部２２ｃに、台座板金７の突出部７ｄを差し込むようにして、スタンド保持部２２にスタンド１を取り付ける。そして、ねじを第１の首部８のねじ穴８１及び第２の首部９のねじ穴９１と、スタンド保持部２２のねじ穴２３とに通し、表示装置本体２内のねじ穴２１に締め付けることで、スタンド１を表示装置本体２に取り付ける。
【００４８】
実施の形態３のスタンドによれば、表示装置本体２が有するスタンド保持部２２の開口部２２ｃに台座板金７の突出部７ｄを差し込むようにしているので、第１の首部８及び第２の首部９を直立状態で台座板金４にねじで固定していない状態で表示装置本体２にスタンド１を取り付けた場合であっても、表示装置本体２が第１の首部８及び第２の首部９と共に背面側に転倒することを防止することができる。
【００４９】
なお、実施の形態３において、第１の首部８及び第２の首部９が共にスタンド１の背面側に回動可能となるように構成したが、第１の首部８及び第２の首部９が共にスタンド１の前面側に回動可能となるように構成しても良い。また、スタンド保持部２２は、表示装置本体２に備えられているものとしたが、スタンド１に別部品として備え付けられていても良い。
【００５０】
また、実施の形態１〜３において、第１の首部及び第２の首部を台座板金に直立状態で固定する方法として、ねじで固定する方法を説明したが、ねじ以外で固定しても良い。例えば、図１１から図１３で示すように、フックを用いた方法で固定しても良い。図１１は実施の形態１に係る第１の首部及び第２の首部を台座板金に直立状態で固定する方法の変形例を示す背面斜視図、図１２は実施の形態１に係る変形例の第１の首部の斜視図、図１３は実施の形態１に係る変形例の第２の首部を台座板金に直立状態で固定する方法を示す背面断面図である。
【００５１】
図１１に示すように、台座板金１１の左右方向の両端部に、それぞれ第１のフック部品１４及び第２のフック部品１５をねじ９０を用いて取り付ける。また、図１２に示すように、第１の首部１２の底面部１２ｂには、第１のフック部品１４が引っ掛かる第１の掛り部１６を設ける。第２の首部１３の底面部１３ｂにも同様に、第２のフック部品１５が引っ掛かる第２の掛り部１７を設ける。スタンド１の内側に折り畳まれて梱包されている第２の首部１３を、図１３に示すように９０°の状態になるように直立させると、第２のフック部品１５のフック部１５ａが第２の首部１３の第２の掛かり部１７に引っ掛かり、第２の首部１３が直立状態で固定される。同様に、第１の首部１２を９０°の状態になるように直立させると、第１のフック部品１４のフック部１４ａが第１の首部１２の第１の掛かり部１６に引っ掛かることにより、第１の首部１２が直立状態で固定される。それにより、ねじ固定と同様に、第１の首部１２及び第２の首部１３の回動を防止することができ、スタンド１を表示装置本体２に取り付ける際の作業性を向上することができる。なお、ねじによる固定とフックによる固定を両方行うようにしても良い。ねじによる固定とフックによる固定を両方行えば、第１の首部５及び第２の首部６の安定性をより高めることができる。
【００５２】
また、第１の首部及び第２の首部の回動方向は、実施の形態１〜３の方向に限定されない。例えば、第１の首部をスタンド１の背面側にのみ回動可能、つまり０°〜９０°を可動域とし、第２の首部をスタンド１の前面側にのみ回動可能、つまり９０°〜１８０°を可動域とするように、第１の首部及び第２の首部の回動可能な方向をそれぞれ前後反対方向にしても良い。この方法によれば、第１の首部及び第２の首部を台座板金に直立状態で固定していない状態で表示装置本体２にスタンド１を取り付けた場合であっても、第１の首部及び第２の首部が共に背面側又は前面側に回動することがないため、表示装置本体２が傾いたり転倒したりすることを防止することができる。
【００５３】
また、実施の形態１においては、第１の首部５と第２の首部６とが共にスタンド１の内側に回動可能とし、実施の形態２においては、第１の首部５と第２の首部６とが共にスタンド１の外側に回動可能となるように構成したが、第１の首部と第２の首部のうち、片方が内側に回動し、もう一方が外側に回動するようにしても良い。このような構成であっても、ねじ又はフックによる固定を行えば、傾いたり転倒したりすることはない。
【００５４】
また、実施の形態１〜３において、台座部がスタンドベースと台座板金とを備えるとしたが、必ずしも台座板金を備える必要はない。例えば、台座部がスタンドベースのみで構成されていても良く、スタンドベースに直接ねじで固定したり、スタンドベースにフック部品を直接設けて固定したりしても良い。
【００５５】
また、実施の形態１〜３において、第１の首部及び第２の首部の２つの首部により表示装置本体２を支持するとしたが、３つ以上の首部を備えていても良い。
【００５６】
また、実施の形態１〜３において、第１の首部及び第２の首部が、台座部に対して直立の状態から、水平の状態まで回動できるとしたが、必ずしも直立状態から水平状態まで回動できる必要はない。第１の首部及び第２の首部は、表示装置本体を支持できる程度に立ち上がれば、直立状態まで回動できる必要はなく、また、梱包サイズを小さくするために、台座部側に折り畳むことができれば、水平状態まで回動できなくても良い。そのため、第１の首部及び第２の首部の構造は、実施の形態１〜３で説明した構造には限られない。
【符号の説明】
【００５７】
１  スタンド、２  表示装置本体、３  スタンドベース、４，７，１１  台座板金、１０  台座部、５，８，１２  第１の首部、６，９，１３  第２の首部、５ｂ，８ｂ，１２ｂ，１３ｂ  底面部、７ｄ  突出部、１４  第１のフック部品、１５  第２のフック部品、１６  第１の掛り部、１７  第２の掛り部、２２  スタンド保持部、２２ｃ  開口部、１００  表示装置。
【図１】
2019220912.tif 000003
【図２】
2019220912.tif 000004
【図３】
2019220912.tif 000005
【図４】
2019220912.tif 000006
【図５】
2019220912.tif 000007
【図６】
2019220912.tif 000008
【図７】
2019220912.tif 000009
【図８】
2019220912.tif 000010
【図９】
2019220912.tif 000011
【図１０】
2019220912.tif 000012
【図１１】
2019220912.tif 000013
【図１２】
2019220912.tif 000014
【図１３】
2019220912.tif 000015